(57)【要約】      （修正有）【課題】洗浄剤をティッシュペーパーあるいはタオル等に含浸させ、これを用いて化粧ブラシに付着した化粧料や皮脂等を拭き取るか、直接、化粧ブラシに洗浄剤を吹きつけ、乾燥したティッシュペーパー等で拭き取ることで、付着した化粧料等の汚れを容易に除去することができる、速乾性に優れた化粧ブラシ用の洗浄剤を提供する。【解決手段】（Ａ）低級アルコール３０〜９９質量％、（Ｂ）揮発性油１〜７０質量％、及び、（Ｃ）水７質量％以下(０質量％を含む)を含有することを特徴とする化粧ブラシ用洗浄剤。前記（Ａ）低級アルコールが、エタノール又はイソプロピルアルコールであること、及び／又は、前記（Ｂ）揮発性油が、イソドデカン、イソヘキサデカン、水添ポリイソブテン、シクロペンタシロキサン及びジメチコンから選ばれる１以上であること、が好ましい化粧ブラシ用洗浄剤。【選択図】なし【特許請求の範囲】
【請求項１】
（Ａ）低級アルコール  ３０〜９９質量％、
（Ｂ）揮発性油  １〜７０質量％、及び、
（Ｃ）水  ７質量％以下(０質量％を含む)
を含有することを特徴とする化粧ブラシ用洗浄剤。
【請求項２】
前記（Ａ）低級アルコールが、エタノール又はイソプロピルアルコールであることを特徴とする請求項１記載の化粧ブラシ用洗浄剤。
【請求項３】
前記（Ｂ）揮発性油が、イソドデカン、イソヘキサデカン、水添ポリイソブテン、シクロペンタシロキサン及びジメチコンからなる群から選ばれる１又は２種以上であることを特徴とする請求項１記載の化粧ブラシ用洗浄剤。
【請求項４】
請求項１乃至３のいずれかに記載の化粧ブラシ用洗浄剤をディスペンサー容器に収容したことを特徴とする化粧ブラシ用洗浄製品。
【発明の詳細な説明】
【技術分野】
【０００１】
本発明は、化粧ブラシに付着した化粧料や皮脂等の汚れを除去するための化粧ブラシ用の洗浄剤に関する。
【背景技術】
【０００２】
ファンデーション等の化粧料を顔に塗布するために広く用いられる化粧ブラシは、使用により付着した化粧料や皮脂などの汚れを落とすために、水またはぬるま湯、あるいはこれらに中性洗剤を加えて洗浄されることが多い。
【０００３】
しかしながら、水等で洗浄した後、ブラシの毛束に水分が保持された状態が長時間続くと、微生物や黴が発生したり、異臭が発生するなどして再度使用する際に不快感を与えるばかりでなく、衛生的にも問題となる。また、中性洗剤に含まれる界面活性剤がブラシの毛束中に残存すると毛束がべたつき、化粧料を塗布することが困難となる。さらに、洗浄後のブラシを不適切な状態で放置しておくと、乾燥途中で、ブラシの毛束が湾曲したり捻れたりして変形が生じ、化粧用ブラシで再度化粧する際、肌当たりが悪く、化粧料が塗布しづらくなり、化粧効果も十分に得ることができなくなる。
【０００４】
一方、化粧用ブラシの乾燥を早めるために、ドライヤーなどを用いて毛束に熱風をあてるとブラシの毛束は損傷し、化粧用ブラシの寿命を著しく縮めるとともに、毛束が本来有する柔らかい感触が損なわれ、化粧行為が不快となるとともに、化粧料を均一に塗布することが困難となるため、十分な化粧効果を得ることが困難となる。また、ドライヤーを用いて乾燥するなどの行為は、そもそも手間がかかるため、使用者にとっては煩わしい行為である。
【０００５】
このため、洗浄剤をティッシュペーパーあるいはタオル等に含浸させ、これを用いて化粧ブラシに付着した化粧料や皮脂等を拭き取るか、直接、化粧ブラシに洗浄剤を吹きつけ、乾燥したティッシュペーパー等で拭き取ることで、付着した化粧料等の汚れを容易に除去することができる、速乾性に優れた化粧ブラシ用の洗浄剤の開発が望まれる。
【先行技術文献】
【特許文献】
【０００６】
【特許文献１】特開２００２−２４１２６３号公報
【発明の概要】
【発明が解決しようとする課題】
【０００７】
本発明は、洗浄剤をティッシュペーパーあるいはタオル等に含浸させ、これを用いて化粧ブラシに付着した化粧料や皮脂等を拭き取るか、直接、化粧ブラシに洗浄剤を吹きつけ、乾燥したティッシュペーパー等で拭き取ることで、付着した化粧料等の汚れを容易に除去することができる、速乾性に優れた化粧ブラシ用の洗浄剤を提供することを課題とする。
【課題を解決するための手段】
【０００８】
前記課題を解決するために本発明者が検討を行った結果、低級アルコールと、揮発性油と、水と、を所定量配合することにより、化粧ブラシに付着した化粧料等の汚れを容易に除去することができ、さらに速乾性にも優れた化粧ブラシ用洗浄剤が得られることを見出し、本発明を完成するに至った。
【０００９】
すなわち本発明は、（Ａ）低級アルコール  ３０〜９９質量％、（Ｂ）揮発性油  １〜７０質量％、及び、（Ｃ）水  ７質量％以下(０質量％を含む)を含有することを特徴とする化粧ブラシ用洗浄剤である。
【００１０】
さらに本発明は、前記（Ａ）低級アルコールが、エタノール又はイソプロピルアルコールであることを特徴とする化粧ブラシ用洗浄剤である。
【００１１】
また本発明は、前記（Ｂ）揮発性油が、イソドデカン、イソヘキサデカン、水添ポリイソブテン、シクロペンタシロキサン及びジメチコンからなる群から選ばれる１又は２種以上であることを特徴とする化粧ブラシ用洗浄剤である。
【００１２】
さらに本発明は、前記の化粧ブラシ用洗浄剤をディスペンサー容器に収容したことを特徴とする化粧ブラシ用洗浄製品である。
【発明の効果】
【００１３】
本発明によれば、化粧ブラシ用洗浄剤をティッシュペーパーあるいはタオル等に含浸させ、これを用いて化粧ブラシに付着した化粧料や皮脂等を拭き取ることにより、化粧ブラシに付着した化粧料等の汚れを容易に除去することができ、さらに速乾性にも優れることから乾燥するための作業を行う必要をなくすことができる。
【００１４】
また本発明の化粧ブラシ用洗浄剤を化粧ブラシに直接吹きつけた後、化粧ブラシを乾いたティッシュペーパーやタオル等で拭くことによっても、化粧料等の汚れを容易に除去することができる。
【００１５】
さらに化粧ブラシ用洗浄剤に化粧ブラシを浸漬した後、化粧ブラシを乾いたティッシュペーパー等で拭くことによっても同様の効果を得ることができる。
【００１６】
本発明の化粧ブラシ用洗浄剤は、界面活性剤を配合することを必要としないため、化粧ブラシの毛束中に界面活性剤が残存することを防止し、毛束のべたつきの発生をなくすことができる。
【発明を実施するための形態】
【００１７】
本発明の化粧ブラシ用洗浄剤は、（Ａ）低級アルコール３０〜９９質量％、（Ｂ）揮発性油１〜７０質量％、及び、（Ｃ）水７質量％以下(０質量％を含む)を含有する。
【００１８】
（Ａ）低級アルコール
本発明において用いる低級アルコールは、化粧料に通常使用されるものであれば特に制限されず、１種又は２種以上を用いることができる。
【００１９】
低級アルコールとしては、炭素数２〜１０の直鎖又は分岐の、飽和又は不飽和の、１価又は多価の、脂肪族アルコールを用いることができる。例えば、エタノール、イソプロピルアルコール、１，２−プロピレングリコール、ジプロピレングリコール、１，３−ブチレングリコール、１，２−ペンタンジオール、ヘキシレングリコール、グリセリン、ソルビトール、１，２，３−ブタントリオール、１，２，３−ペンタントリオール、１，２，３，４−ペンタンテトロール、及びこれらの異性体が挙げられるが、中でも、化粧ブラシを洗浄した後の乾燥速度やブラシの異臭を低減する効果に優れることから、エタノール、イソプロピルアルコールが特に好ましい。
【００２０】
低級アルコールの配合量は３０質量％以上とする。低級アルコールが少なすぎると、配合する揮発性油が溶解せず２層に分離してしまい、化粧ブラシに付着した化粧料や皮脂等の汚れを十分に除去できないおそれがあるためである。
【００２１】
（Ｂ）揮発性油
本発明において用いる揮発性油としては、常圧における沸点が６０〜２６０℃の範囲にある低沸点の炭化水素油あるいはシリコーン油等が挙げられる。
【００２２】
揮発性の炭化水素油としては、直鎖状、分岐状のいずれのものを用いても良い。このような揮発性の炭化水素油としては、イソデカン、イソドデカン、イソヘキサデカン、水添ポリイソブテン(軽質流動性イソパラフィン)等が挙げられる。
【００２３】
揮発性のシリコーン油としては、例えば、ジメチルポリシロキサン(ジメチコン)、メチルフェニルポリシロキサン、メチルハイドロジェンポリシロキサン等の鎖状ポリシロキサン、オクタメチルシクロテトラシロキサン、デカメチルシクロペンタシロキサン、ドデカメチルシクロヘキサシロキサン、テトラメチルテトラハイドロジェンシクロテトラシロキサン等の環状ポリシロキサン等が挙げられる。また、これらの商品例としては、例えば、信越化学工業株式会社製のＫＦ９６Ｌ−０．６５、ＫＦ９６Ｌ−１、ＫＦ９６Ｌ−１．５、ＫＦ９９５、東レ・ダウコーニング・シリコーン株式会社製のＳＨ２００−１ｃｓ、ＳＨ２００−１．５ｃｓ、ＳＨ２００−２ｃｓ、東芝シリコーン株式会社製のＴＳＦ４０４、ＴＳＦ４０５、ＴＳＦ４０４５等がある。
【００２４】
（Ｃ）水
本発明の化粧ブラシ用洗浄剤は、水を７質量％以下(０質量％を含む)含有することができる。これにより、金属イオン封鎖剤、安定剤、防腐剤、紫外線吸収剤、酸化防止剤、水性薬剤等の水性成分を適宜配合することが可能となる。水の配合量が多すぎると、揮発性油が分離してしまい、化粧ブラシに均一に塗布することが困難となるおそれがある。
【００２５】
本発明の化粧ブラシ用洗浄剤は、水が混入しても、その量が全体の７質量％以下であれば、速乾性を維持しながら、揮発性油が分離することなく均一な状態を保つことができる。これにより、化粧ブラシ用洗浄剤を収容した容器の接合部から水が浸入したり、容器を形成する樹脂を透過して水蒸気が混入しても、揮発性油が分離することなく、化粧ブラシ用洗浄剤の品質を長期に亘って安定に保持することができるため、洗面所や風呂場において繰り返し使用を継続することが可能となる。
【００２６】
化粧ブラシ用洗浄剤をディスペンサー容器に収容すれば、手を汚すことなく所定量の化粧ブラシ用洗浄剤を化粧ブラシに塗布することができるため、付着した化粧料等の汚れをさらに容易に除去することが可能となる。ディスペンサー容器としては、内容物をミスト状にして噴霧するタイプのもの、あるいは内容物を液状のまま吐出するタイプのものなど、適宜選択して採用することができる。
【実施例】
【００２７】
以下、具体例を挙げて本発明を更に詳細に説明するが、これらは本発明の技術的範囲を何ら限定するものではない。なお、以下の実施例等における配合量は特記しない限り質量％である。
【００２８】
表１、表２に示す配合処方により得られた各化粧ブラシ用洗浄剤について評価した。評価は、製造直後の状態と、ファンデーションを塗布した後の化粧ブラシを各化粧ブラシ用洗浄剤を含浸したティッシュペーパーで拭き取った際の洗浄効果、速乾性、べたつきの無さに関する機能性と、さらに３７°Ｃにおける加湿条件下(98%RH)での長期安定性(３週間経過後の状態)について評価した。
【００２９】
評価の基準は、以下の通りである。
＜評価基準＞
○：非常に優れる（合格）、○△：優れる（合格）、△：やや優れる（合格）、△×：やや劣る（不合格）、×：劣る（不合格）
【００３０】
【表１】
2018024780.tif 000002
【００３１】
表１に示すように実施例３〜７は、いずれの評価項目においても、「○：非常に優れる(合格)」の評価を得ることができた。実施例１、２は、洗浄効果に関する機能性評価において「△：やや優れる(合格)」であるものの、その他の評価項目については、「○：非常に優れる(合格)」の結果であった。実施例８〜１０は、速乾性に関する機能性評価において「○△：優れる(合格)」もしくは「△：やや優れる(合格)」であるものの、その他の評価項目については、「○：非常に優れる(合格)」の結果であった。
【００３２】
以上から、化粧ブラシ用洗浄剤としての機能を発揮するためには、（Ａ）低級アルコール３０〜９９質量％、（Ｂ）揮発性油１〜７０質量％、及び、（Ｃ）水７質量％以下(０質量％を含む)を含有することが必要であるが、更にすぐれた洗浄効果を得るためには、（Ａ）低級アルコールの配合量を３０〜９５質量％とし、（Ｂ）揮発性油の配合量を５〜７０質量％とすることが好ましい。また、更にすぐれた速乾性を得るためには、（Ｃ）水の配合量を５質量％未満(０質量％を含む)とすることが好ましい。
【００３３】
また、実施例１〜１０に示す化粧ブラシ用洗浄剤は、界面活性剤を配合することを必要としないため、化粧ブラシの毛束中に界面活性剤が残存することを防止し、毛束のべたつきの発生をなくすことができる。
【００３４】
【表２】
2018024780.tif 000003
【００３５】
表２に示すように比較例５、６は、製造直後に油相が溶解せず２層に分離した状態が確認された。また、比較例３は、加湿条件下における長期安定性試験において分離が認められた。さらに比較例１、２、４は、分離等は起こらず性状には問題ないものの、洗浄効果、速乾燥性、べたつきの無さに関するいずれかの機能性評価において「△×：やや劣る(不合格)」の結果であった。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
（Ａ）低級アルコール  ３０〜９９質量％、
（Ｂ）イソドデカン、イソヘキサデカン、水添ポリイソブテン、シクロペンタシロキサン及びジメチコンの群から選ばれる１又は２種以上からなる揮発性油  １〜７０質量％、及び、
（Ｃ）水  ７質量％以下(０質量％を含む)
を含有することを特徴とする化粧ブラシ用洗浄剤。
【請求項２】
前記（Ａ）低級アルコールが、エタノール又はイソプロピルアルコールであることを特徴とする請求項１記載の化粧ブラシ用洗浄剤。
【請求項３】
請求項１又は２に記載の化粧ブラシ用洗浄剤をディスペンサー容器に収容したことを特徴とする化粧ブラシ用洗浄製品。
【手続補正２】
【補正対象書類名】明細書
【補正対象項目名】０００９
【補正方法】変更
【補正の内容】
【０００９】
すなわち本発明は、（Ａ）低級アルコール  ３０〜９９質量％、（Ｂ）イソドデカン、イソヘキサデカン、水添ポリイソブテン、シクロペンタシロキサン及びジメチコンの群から選ばれる１又は２種以上からなる揮発性油  １〜７０質量％、及び、（Ｃ）水  ７質量％以下(０質量％を含む)を含有することを特徴とする化粧ブラシ用洗浄剤である。
【手続補正３】
【補正対象書類名】明細書
【補正対象項目名】００１１
【補正方法】削除
【補正の内容】